(57)【要約】      （修正有）【課題】過去の使用者を特定できないスリッパを使用することに伴う不快感や不衛生な印象をぬぐい去ることができ、そのようなスリッパを使用することによる菌の感染を未然に予防することのできるスリッパの中敷きを提供する。【解決手段】スリッパＢのソール層２１の表面の輪郭形状及びサイズに類似する形状及びサイズのシート１でなる中敷き本体１０に、スリッパＢの甲ベルト２２の根元に嵌合可能な位置決め用の凹入部１１を形成する。中敷き本体を複数枚のシートの積層体で形成してもよい。シートに着色したり、柄模様を施しておいてもよい。中敷き本体に、スリッパの甲ベルトの裏面を覆うカバーベルトを装備させることもできる。【選択図】図３
0003217397.tif 000002
【実用新案登録請求の範囲】
【請求項１】
スリッパのソール層表面の輪郭形状及びサイズに類似する形状及びサイズのシートでなる中敷き本体を有し、この中敷き本体に、上記スリッパの甲ベルトの根元に嵌合可能な位置決め用の凹入部が形成されていることを特徴とするスリッパの中敷き。
【請求項２】
上記凹入部が角張った入り隅部を有し、その入り隅部に丸穴が形成されている請求項１に記載したスリッパの中敷き。
【請求項３】
上記中敷き本体の裏面に、滑り止め加工が施された請求項１又は請求項２に記載したスリッパの中敷き。
【請求項４】
上記中敷き本体が、複数枚の上記シートの積層体でなる請求項１ないし請求項３のいずれか１項に記載したスリッパの中敷き。
【請求項５】
上記積層体を形成している複数枚のシートの一部に他のシートとは異なる色の着色が施されている請求項４に記載したスリッパの中敷き。
【請求項６】
上記中敷き本体の表面に柄模様が施されている請求項１ないし請求項５のいずれか１項に記載したスリッパの中敷き。
【請求項７】
上記中敷き本体に、その中敷き本体をスリッパの上記ソール層表面に重ね合わせたときに、そのスリッパの上記甲ベルトの裏面を覆うカバーベルトが装備されている請求項１ないし請求項６のいずれか１項に記載したスリッパの中敷き。
【考案の詳細な説明】
【技術分野】
【０００１】
本考案は、スリッパの中敷き、特に不特定の人の使用に供されるスリッパを、不快感を感じることなく衛生的に使用することができるようにするためのスリッパの中敷きに関する。
【背景技術】
【０００２】
旅館などの宿泊施設やゴルフ場などのスポーツ施設といった多くの不特定の人が集まる場所では、施設内での移動に、その施設に備え付けのスリッパを使用することが多々ある。たとえば、宿泊施設で入浴のために居室から浴場へ移動するときには、居室に備え付けのスリッパを履いて浴場まで移動し、浴場の入り口でそのスリッパを脱ぎ、入浴後には入り口に脱ぎ捨ててある複数のスリッパの中から選択したスリッパを履いて居室に戻るということが行われている。このような場合、入り口に脱ぎ捨ててあるスリッパは必ずしも自分自身が履いてきたスリッパであるとは限らず、不特定の人が履いてきたスリッパを履かざるを得ないことも多い。
【先行技術文献】
【特許文献】
【０００３】
【特許文献１】実用新案登録第３１０７４４３号公報
【特許文献２】実用新案登録第３０３３１９０号公報
【考案の概要】
【考案が解決しようとする課題】
【０００４】
しかしながら、不特定の人が履いたスリッパをそのまま使用することには不快感や不衛生な印象を感じることも多く、場合によっては、菌の感染が心配されることもあり得る。
【０００５】
本考案は、以上の状況に鑑みてなされたものであり、過去の使用者を特定できないスリッパを使用することに伴う不快感や不衛生な印象をぬぐい去ることができ、そのようなスリッパを使用することによる菌の感染を未然に予防することのできるスリッパの中敷きを提供することを目的としている。
【課題を解決するための手段】
【０００６】
本考案に係るスリッパの中敷きは、スリッパのソール層表面の輪郭形状及びサイズに類似する形状及びサイズのシートでなる中敷き本体を有し、この中敷き本体に、上記スリッパの甲ベルトの根元に嵌合可能な位置決め用の凹入部が形成されている、というものである。
【０００７】
このように構成されたスリッパの中敷きにおいて、中敷き本体の凹入部をスリッパの甲ベルトの根元に嵌合させると、その中敷き本体がスリッパのソール層の上で位置決めされる。こうして中敷き本体を装着したスリッパを履くと、使用者の足裏がスリッパのソール層表面に接触しなくなるので、使用者にとっては、過去の使用者を特定できないスリッパを使用することに伴う不快感や不衛生な印象をぬぐい去ることができ、そのようなスリッパを使用することによる足裏からの菌の感染も未然に予防することができる。
【０００８】
本考案では、上記凹入部が角張った入り隅部を有し、その入り隅部に丸穴が形成されている、という構成を採用することが可能である。この構成を有する中敷き本体はシートを裁断したり打ち抜いたりすることによって容易かつ安価に製作でき、しかも、凹入部の入り隅部に形成されている丸穴によってその部分への応力集中が緩和されて破れにくいという長所を有する。
【０００９】
本考案では、上記中敷き本体の裏面に、滑り止め加工が施されていることが望ましい。この構成であれば、スリッパのソール層表面に対して中敷き本体が滑り止めされるので、スリッパの履き心地が損なわれない。
【００１０】
本考案では、上記中敷き本体が、複数枚の上記シートの積層体でなる、という構成を採用することが可能であり、そうすることによって、中敷き本体がクッション性を発揮するのでいっそう良好な使用感が得られる。
【００１１】
本考案では、上記積層体を形成している複数枚のシートの一部に他のシートとは異なる色の着色が施されている、という構成や、上記中敷き本体の表面に柄模様が施されている、という構成を採用することが可能である。積層体を形成している複数枚のシートの一部に他のシートとは異なる色の着色が施されていると、積層体の端面で異なる色が発現するのでそれだけ使用中のファッション性が向上する。また、中敷き本体の表面に柄模様が施されていると、使用者がその柄模様を楽しむことができるようになる。さらに、積層体の端面の色や表面の柄模様によって、その中敷きを使用しているスリッパを、他の中敷きを使用しているスリッパから識別することが容易になる。
【００１２】
本考案では、上記中敷き本体に、その中敷き本体をスリッパの上記ソール層表面に重ね合わせたときに、そのスリッパの上記甲ベルトの裏面を覆うカバーベルトが装備されている、という構成を採用することが望ましい。この構成を採用しておくと、中敷き本体の作用によって使用者の足裏がスリッパのソール層表面に接触しなくなるだけでなく、使用者の足の甲がカバーベルトの作用によって甲ベルトにも接触しなくなるので、使用者にとっては、過去の使用者を特定できないスリッパを使用することに伴う不快感や不衛生な印象を、よりいっそう、ぬぐい去ることができ、そのようなスリッパを使用することによる足裏や足の甲からの菌の感染を予防する作用もいっそう発揮されやすくなる。
【考案の効果】
【００１３】
以上のように、本考案によれば、過去の使用者を特定できないスリッパを使用することに伴う不快感や不衛生な印象をぬぐい去ることができ、そのようなスリッパを使用することによる菌の感染を未然に予防することのできるスリッパの中敷きを提供することが可能になる。また、中敷き本体をシートの積層体で形成しておくと、中敷き本体によって発揮されるクッション性によってスリッパの使用感が向上する。さらに、シートを着色したり、中敷き本体の表面に柄模様を施したりすることによってスリッパのファッション性を向上させることができるという利点も得られる。
【図面の簡単な説明】
【００１４】
【図１】本考案の実施形態に係るスリッパの中敷きの平面図である。
【図２】変形例によるスリッパの中敷きの概略斜視図である。
【図３】使用状態の説明図である。
【図４】他の実施形態に係るスリッパの中敷きを示した概略斜視図である。
【考案を実施するための形態】
【００１５】
図１は本考案の実施形態に係るスリッパの中敷きの平面図、図２は変形例によるスリッパの中敷きの概略斜視図、図３は使用状態の説明図である。
【００１６】
図１の中敷きＡは、ソールの側縁から延びた甲ベルトにより足の甲が覆われてつま先が開放されるスリッパのソール層表面の輪郭形状及びサイズに類似する形状及びサイズの平坦なシート１でなる中敷き本体１０の左右両側に、スリッパの甲ベルトの根元に嵌合可能な位置決め用の凹入部１１を形成してなり、同図では、右側が爪先側、左側が踵側に相当している。左右２箇所の凹入部１１は対称に形作られていて、図例では、その凹入部１１が角張った２つの入り隅部１２を有していると共に、中敷き本体１０が引っ張られたりしたときにそれらの入り隅部１２に応力が集中して引き裂かれることを防ぐために、それらの入り隅部１２に丸穴１３を形成する穿孔加工が施されている。このような中敷き本体１０は平坦なシートを裁断したり打ち抜いたりすることによって容易かつ安価に製作でき、しかも、凹入部１１の入り隅部１２に形成されている丸穴１３によってその部分への応力集中が緩和されて破れにくいという長所を有している。
【００１７】
この実施形態において、上記のように、シート１にはクレープ紙が採用されている。周知のように、クレープ紙は、特殊な加工を施したひだ付きしわ付きの紙であり、キッチンペーパーに代表されるような使い捨てを前提とした使用が可能で、吸水性・吸油性や柔軟性を備え、しかも、水に溶けにくく、濡れても破れにくいという特性を有している。さらには、和紙のような味わいのある風合い、他の種類の紙にはない肌触りの良さも備えている。したがって、シート１にクレープ紙を採用しておくと、使用感が満たされ、使用者の足裏の水分が吸収されて良好な使用感が得られ、使用後は使い捨てることによって処分が容易になる。
【００１８】
中敷き本体１０は１枚のシート１を一層で使用して形成したものであってもよいが、図２に示したように、複数枚（たとえば、５〜６枚）のシート１の積層体によって形成されていてもよい。複数枚のシート１を積層して一体化する手段には、複数枚のシート１の端縁の重なり箇所２を型押しして小ピッチの凹凸パターンを形成する、という手段を用いることができる。このような型押しによる手段を採用すると、重なり箇所の接合を容易かつ安価に行うことができるという利点がある。また、前記手段においては、複数枚のシート１の端縁の重なり箇所２に予め接着剤を塗布した後に同箇所を型押しして小ピッチの凹凸パターンを形成すれば、より強固に重なり箇所が接合される。
【００１９】
中敷き本体１０をシート１の積層体によって形成したものでは、積層体を形成している複数枚のシート１の一部（たとえば１枚おきのシート）に他のシート１とは異なる色の着色を施したりしておくと、積層体の端面で異なる色が発現するのでそれだけ使用中のファッション性が向上するという利点がある。さらに、中敷き本体１０が１枚のシート１を一層で使用して形成したものであるか、積層体としたものであるかにかかわらず、中敷き本体１０の表面に柄模様を施しておくことも可能であり、そうしておくと、使用者自身がその柄模様を楽しむことができるようになるという利点もある。また、中敷き本体１０に施された着色や柄模様は、中敷き本体１０を他の中敷き本体から識別することにも役立つ。
【００２０】
以上説明した中敷きＡは、図３に例示したように、スリッパＢのソール層２１の表面の上に重ね合わされ、中敷き本体１０の左右両側の凹入部１１が、スリッパＢの甲ベルト２２の根元に嵌合されて位置決めされる。したがって、使用者がスリッパＢを履くと、使用者の足裏は、中敷き本体１０に接触するだけでソール層２１には接触しない。そのため、使用者にとっては、過去の使用者を特定できないスリッパＢを使用することに伴う不快感や不衛生な印象をぬぐい去ることができ、そのようなスリッパＢを使用することによる足裏からの菌の感染も未然に予防される。しかも、シート１にクレープ紙が使われているために、クレープ紙の特性によって中敷き本体１０がクッション性を発揮するので、履き心地が良好になり、スリッパＢの使用感が向上する。この作用は、中敷き本体１０に、複数枚のシート１の積層体が使われているときに特に顕著に発揮される。
【００２１】
一方、図１に示したように、中敷き本体１０の裏面の適所３０に、滑り止め加工を施すことが可能である。滑り止め加工としては、中敷き本体１０の裏面の適所に滑り止め用樹脂シートを貼り付けたり、滑り止め用の液状の樹脂を塗布して乾燥硬化させることにより滑り止め加工を行うことができる。そうしておくと、中敷き本体１０がスリッパＢのソール層２１の表面から滑らないのでスリッパＢの履き心地が損なわれなくなる。
【００２２】
図４は他の実施形態に係るスリッパの中敷きＡを示した概略斜視図である。同図の中敷きＡは、図１〜図３を参照して説明した中敷き本体１０に、カバーベルト１４を付加したものに相当している。カバーベルト１４は、シート１によって形成されていて、その両端部の折曲げ片部１５が、中敷き本体１０の凹入部１１の底辺部分に固定されている。折曲げ片部１５を中敷き本体１０に固定する手段には、貼着ないし接着によるほか、中敷き本体１０と折曲げ片部１５との重なり箇所を型押しして小ピッチの凹凸パターンを形成する、という手段を用いることができる。このような型押しによる手段を採用すると、中敷き本体１０と折曲げ片部１５との重なり箇所の接合を容易かつ安価に行うことができるという利点がある。
【００２３】
図４に示した中敷きＡは、その中敷き本体１０を、図３に示したようなスリッパＢのソール層２１の表面の上に重ね合わせ、中敷き本体１０の左右両側の凹入部１１を、スリッパＢの甲ベルト２２の根元に嵌合させて位置決めすると、カバーベルト１４が、スリッパＢの甲ベルト２２の裏面を覆って配備される。そのため、中敷き本体１０の作用によって使用者の足裏がスリッパのソール層Ｂの表面に接触しなくなるだけでなく、使用者の足の甲がカバーベルト１４の作用によって甲ベルト２２にも接触しなくなるので、使用者にとっては、過去の使用者を特定できないスリッパを使用することに伴う不快感や不衛生な印象を、よりいっそうぬぐい去ることができ、そのようなスリッパを使用することによる足裏や足の甲からの菌の感染を予防する作用もいっそう発揮されやすくなる。
【符号の説明】
【００２４】
Ａ  中敷き
Ｂ  スリッパ
１  シート
１０  中敷き本体
１１  凹入部
１４  カバーベルト
２１  スリッパのソール層
２２  スリッパの甲ベルト
３０  中敷き本体の裏面の適所
【図１】
0003217397.tif 000003
【図２】
0003217397.tif 000004
【図３】
0003217397.tif 000005
【図４】
0003217397.tif 000006